(57)【要約】      （修正有）【課題】タクシー用の車載機器において、筐体を分解した場合のデータの盗難を防止する。【解決手段】複数の部材４ａ・４ｂにより構成される分解可能な筐体４と、データ入力するキートップ１６と、記録媒体のデータを読み取るリーダー９と、データ表示するＬＣＤパネル１８と、筐体４が分解されたことを検出する複数の検出部２１と、筐体４を車内の任意位置に取り付けるための取付部と、を具備する車載機器。従って、データ入力して表示等する車載機器２において、筐体４を分解した場合、複数の検出部２１により筐体分解を検出してデータの保護などが図れるため、データの盗難を防止できる。【選択図】図５
0003116658.tif 000002
【実用新案登録請求の範囲】
【請求項１】
複数の部材により構成される分解可能な筐体と、
データ入力するキーボードと、
記録媒体のデータを読み取るリーダーと、
データ表示する表示部と、
前記筐体が分解されたことを検出する複数の検出部と、
前記筐体を車内の任意位置に取り付けるための取付部と、
を具備することを特徴とする車載機器。
【請求項２】
前記取付部は開口部を有し、この開口部を、前記リーダーに記録媒体のデータを読み取らせる際の記録媒体位置確認窓としたことを特徴とする請求項１に記載の車載機器。
【請求項３】
音声ガイダンスを出力する出力部を設けたことを特徴とする請求項１または２に記載の車載機器。
【請求項４】
他の機器とケーブル接続によりデータ転送されることを特徴とする請求項１から３のいずれか一項に記載の車載機器。
【請求項５】
他の機器と無線通信または赤外線通信によりデータ転送されることを特徴とする請求項１から３のいずれか一項に記載の車載機器。
【考案の詳細な説明】
【技術分野】
【０００１】
本考案は、タクシー用の車載機器に関する。
【背景技術】
【０００２】
タクシー用の車載機器として、ＩＣカード、メモリカード、磁気カード等のデータを読み取るカードリーダーや、バーコードのデータを読み込むバーコードリーダー等を備える読取り装置がある（例えば特開平５−２０５０６号公報等参照）。
このような車載読取り装置により、タクシードライバーは、売上情報を保存して、その保存された売上情報を帰社時にコンピュータに出力する。
【考案の開示】
【考案が解決しようとする課題】
【０００３】
しかし、従来の車載読取り装置は、その筐体を分解して内部のデータが盗み出されるという問題があった。
【０００４】
本考案の課題は、タクシー用の車載機器において、筐体を分解した場合のデータの盗難を防止することである。
【課題を解決するための手段】
【０００５】
以上の課題を解決するため、請求項１に記載の考案は、例えば図１から図６に示すように、複数の部材４ａ・４ｂにより構成される分解可能な筐体４と、データ入力するキーボード６と、記録媒体のデータを読み取るリーダー９・１１と、データ表示する表示部８と、前記筐体４が分解されたことを検出する複数の検出部２１・２２と、前記筐体４を車内の任意位置に取り付けるための取付部５と、を具備する車載機器２を特徴とする。
【０００６】
請求項１に記載の考案によれば、データ入力して表示等する車載機器２において、筐体４を分解した場合、複数の検出部２１・２２により筐体分解を検出してデータの保護などが図れるため、データの盗難を防止できる。また、キーボード６及びリーダー９・１１により様々なデータの入力に対応できる。そして、表示部８により入力データを確認できる。しかも、記録媒体の抜き取りは筐体４の分解とはみなさないため、データの読み取りなどに影響を与えることはない。
【０００７】
請求項２に記載の考案は、請求項１に記載の車載機器２であって、例えば図１から図４に示すように、前記取付部５は開口部５ａを有し、この開口部５ａを、前記リーダー１１に記録媒体のデータを読み取らせる際の記録媒体位置確認窓としたことを特徴とする。
【０００８】
請求項２に記載の考案によれば、取付部５の開口部５ａにより記録媒体の位置を確認してリーダー１１にデータを読み取らせることができる。
【０００９】
請求項３に記載の考案は、請求項１または２に記載の車載機器２であって、例えば図１及び図２に示すように、音声ガイダンスを出力する出力部７を設けたことを特徴とする。
【００１０】
請求項３に記載の考案によれば、出力部７により音声ガイダンスを出力できる。
【００１１】
請求項４に記載の考案は、請求項１から３のいずれか一項に記載の車載機器２であって、例えば図１に示すように、他の機器１とケーブル３接続によりデータ転送されることを特徴とする。
【００１２】
請求項４に記載の考案によれば、ケーブル３接続により他の機器１とデータ転送できる。
【００１３】
請求項５に記載の考案は、請求項１から３のいずれか一項に記載の車載機器であって、他の機器と無線通信または赤外線通信によりデータ転送されることを特徴とする。
【００１４】
請求項５に記載の考案によれば、無線通信または赤外線通信により他の機器とデータ転送できる。
【考案の効果】
【００１５】
本考案によれば、データ入力して表示等する車載機器において、特に、複数の検出部により筐体の分解を検出してデータの保護などが図れるため、データの盗難を防止できるといった利点が得られる。
【考案を実施するための最良の形態】
【００１６】
以下、図を参照して本考案を実施するための最良の形態を詳細に説明する。
本考案を適用した車載機器の一実施形態の構成を示す図１において、１はプリンタ装置、２は入力装置、３はケーブルである。
プリンタ装置１は、プリンタを内蔵した筐体１ａが、その背面側で車内の任意位置に取り付けられている。筐体１ａには、メモリカード収納部１ｂ、記録紙収納部１ｃ及び記録紙排出部１ｄ等が設けられている。
【００１７】
入力装置２は、プリンタ装置１とケーブル３を介してデータ転送可能に接続された筐体４が、その上面に備えられた取付金具（取付部）５の開口部５ａにフックＦを通すことで、車内の任意位置に取り付けられている。
筐体４は、図２及び図３に示すように、下ケース部材４ａ及び上ケース部材４ｂをビス止めにより合体したものである。下ケース部材４ａの下端面にケーブル３がブッシュ長さを従来より長くしてこじりに対する耐久性を向上させたケーブルブッシュ１３を介して固定されている。また、下ケース部材４ａの上端面に取付金具５が固定されている。
【００１８】
そして、上ケース部材４ｂには、その表面のほぼ下半部のキーボード６及びスピーカ７と、その上方の液晶表示装置（ＬＣＤ）による表示部８と、その上方の磁気カードリーダー９が設けられている。スピーカ７は、音声ガイダンス機能対応のものであり、つまり、音声ガイダンスを出力する出力部を兼ねている。磁気カードリーダー９により、記録媒体であるクレジットカードのデータが読み取られる。
また、下ケース部材４ａには、その背面側の上部のバーコードリーダー１１と、下端面のＩＣカード挿入口１２が設けられている。このＩＣカード挿入口１２の内部に図示しないＩＣカードデータ読取部が配置されている。
【００１９】
図４は入力装置２の内部構成を示したもので、図中、４ｃは中ケース部材、１４はメイン基板、１５はキーボード６のキー基板、１６はキーボード６のキートップ（照光キー）、１８は表示部８のＬＣＤパネルである。
図示のように、下ケース部材４ａの内部に取り付けられる中ケース部材４ｃに、磁気カードリーダー９、バーコードリーダー１１、メイン基板１４、キー基板１５、キートップ１６、ＬＣＤパネル１８を固定することにより、実装デバイスの耐衝撃性を向上させている。
また、バーコードリーダー１１は、図示のように、取付金具５の背面側がバーコード読み取り範囲位置１１ａとなっている。従って、取付金具５の開口部５ａは、バーコードリーダー１１にバーコードを読み取らせる際の記録媒体位置確認窓となっている。
なお、キートップ１６は、キー基板１５に搭載された図示しないＬＥＤにより照光される。
【００２０】
図５及び図６は入力装置２の筐体４（下ケース部材４ａ及び上ケース部材４ｂ）の分解状態を示したもので、図中、２１・２２は筐体分解検出スイッチ（検出部）、２３・２４はボスである。
すなわち、下ケース部材４ａに取り付けるメイン基板１４には、図５において、ＬＣＤパネル１８の左側に位置する筐体分解検出スイッチ２１と、図６において、キー基板１５に右下側に位置する筐体分解検出スイッチ２２を搭載する。
また、上ケース部材４ｂには、下ケース部材４ａとの合体状態において、筐体分解検出スイッチ２１を押すボス２３と、筐体分解検出スイッチ２２を押すボス２４を一体に形成する。
【００２１】
以上において、メイン基板１４は、筐体分解検出スイッチ２１・２２のいずれかが筐体４を構成する下ケース部材４ａ及び上ケース部材４ｂの分解状態を検出すると、磁気カードリーダー９及びＩＣカードデータ読取部により読み取ってメモリに格納されたデータを除去する回路構成となっている。
これにより、下ケース部材４ａと上ケース部材４ｂがどの方向から開けられても、筐体分解検出スイッチ２１・２２のいずれかが作動して、筐体４の分解状態が検出されると、磁気カードリーダー９及びＩＣカードデータ読取部により読み取ってメモリに格納されたデータが除去される。従って、データの盗難を防止できる。
【００２２】
なお、以上の実施形態の他、筐体の形状・構造やその部品点数、検出部の構成や設置位置並びに個数等も任意であり、その他の具体的な細部構造等についても適宜に変更可能であることは勿論である。
例えば他の実施形態としては、入力装置とプリンタ装置をケーブル接続してデータ転送する方式に代えて、無線通信または赤外線通信によるデータ転送方式も挙げられる。
【図面の簡単な説明】
【００２３】
【図１】本考案を適用した車載機器の一実施形態の構成を示すもので、車内に装備した状態を示した斜視図である。
【図２】図１の入力装置を単品で示したもので、正面図（ａ）及び側面図（ｂ）である。
【図３】図２の入力装置の平面図（ａ）及び底面図（ｂ）である。
【図４】入力装置の内部構成を示した概略側面図である。
【図５】入力装置の筐体分解状態を示した斜視図である。
【図６】図５と反対側の側方から見た斜視図である。
【符号の説明】
【００２４】
１  プリンタ装置
２  入力装置
３  ケーブル
４  筐体
４ａ・４ｂ・４ｃ  ケース部材
５  取付部
５ａ  開口部（記録媒体位置確認窓）
６  キーボード
７  スピーカ（音声ガイダンス出力部）
８  表示部
９  磁気カードリーダー
１１  バーコードリーダー
１２  ＩＣカード挿入口
１３  ケーブルブッシュ
１４  メイン基板
１５  キー基板
１６  キートップ（照光キー）
１８  ＬＣＤパネル
２１・２２  筐体分解検出スイッチ（検出部）
２３・２４  ボス
【図１】
0003116658.tif 000003
【図２】
0003116658.tif 000004
【図３】
0003116658.tif 000005
【図４】
0003116658.tif 000006
【図５】
0003116658.tif 000007
【図６】
0003116658.tif 000008